(57)【要約】【課題】  本発明は、光沢性、経時安定性に優れた塗料及びインキの添加剤として、油剤を提供する。  本発明は、光沢性、延展性、経時安定性に優れた塗料及びインキを得るための油剤を提供する。  本発明は、上記油剤を含有する塗料及びインキを提供する。【解決手段】  一般式（１）で示されるエステル化合物を１種以上含有することを特徴とする油剤。【化１】2005146095.tif 000011                  一般式（１）〔一般式（１）中、R１〜R４は、水素原子、炭素数３〜２８の分岐脂肪酸残基、または一般式（２）で表される安息香酸類のアシル基であり、R１〜R４の少なくとも１つ以上は安息香酸類のアシル基である。〕【化２】2005146095.tif 000012          一般式（２）〔一般式（２）中、Ｘは水素、炭素数１〜１０のアルキル基又はフェニル基を表し、ｍは１〜３の整数を表す。〕【選択図】なし【特許請求の範囲】
【請求項１】
一般式（１）で示されるエステル化合物を１種以上含有することを特徴とする油剤。
【化１】
2005146095.tif 000009
一般式（１）
〔一般式（１）中、R１〜R４は、水素原子、炭素数３〜２８の分岐脂肪酸残基、または一般式（２）で表される安息香酸類のアシル基であり、R１〜R４の少なくとも１つ以上は安息香酸類のアシル基である。〕
【化２】
2005146095.tif 000010
一般式（２）
〔一般式（２）中、Ｘは水素原子、炭素数１〜１０のアルキル基又はフェニル基を表し、ｍは１〜３の整数を表す。〕
【請求項２】
アシル基が、安息香酸残基であることを特徴とする請求項１に記載の油剤。
【請求項３】
炭素数３〜２８の分岐脂肪酸残基が、イソオクチル酸残基であることを特徴とする請求項１又は２に記載の油剤。
【請求項４】
請求項１〜３の何れか１項に記載の油剤を含有することを特徴とする塗料。
【請求項５】
請求項１〜３の何れか１項に記載の油剤を含有することを特徴とするイン
キ。
【発明の詳細な説明】
【技術分野】
【０００１】
本発明は、ペンタエリスリトールと、安息香酸類、及び炭素数３〜２８の分岐脂肪酸とから構成されるエステル化合物を含有する油剤、並びに該油剤を含有する塗料及びインキに関するものである。詳しくは、光沢性、延展性、保存安定性に優れた塗料及びインキを得るための油剤、並びに該油剤を配合した塗料及びインキに関するものである。
【背景技術】
【０００２】
塗料は物体を保護したり、美観を与える目的で物体表面を皮膜するのに用いられる。この為、塗料には様々な構成要素が組み込まれており、それらの複合体として機能を向上させている。
【０００３】
塗料の構成要素としては塗膜形成要素、塗膜形成副要素、顔料、塗膜形成助要素、ビヒクルがあり、このうち塗膜形成副要素は塗料の状態や塗膜の性能を向上させる目的で添加剤として添加されている。
【０００４】
例えば添加剤としては展延性向上のためのゲル化剤として多糖類安息香酸エステルが加えられ（特許文献１）、さらに密着性向上のためにエチレンと不飽和カルボン酸の共重合体組成物が使用されている（特許文献２）。
【０００５】
しかし、これらの添加剤は展延性、成膜性については向上させるものの、光沢性、安定性を満足するものではなかった。
【０００６】
従って、塗料、インキの展延性、成膜性を損なうことなく光沢性を向上させることができる、高い安定性を有する添加剤の開発が望まれていた。
【特許文献１】特開２００２−１５５２６５号公報
【特許文献２】特開２００３−１８３５６４号公報
【発明の開示】
【発明が解決しようとする課題】
【０００７】
本発明は、光沢性、保存安定性に優れた塗料及びインキの添加剤として、油剤を提供する。
本発明は、光沢性、延展性、経時安定性に優れた塗料及びインキを得るための油剤を提供する。
本発明は、上記油剤を含有する塗料及びインキを提供する。
【課題を解決するための手段】
【０００８】
本発明者らは、上記課題を解決するために鋭意検討した結果、ペンタエリスリトールと、安息香酸類、及び炭素数３〜２８の分岐脂肪酸とから構成されるエステル化合物を含有する油剤を塗料及びインキに含有させることで、光沢性、延展性、経時安定性に優れた塗料及びインキが得られることを見出し、本発明を完成するに至った。
【０００９】
すなわち、本発明の第１の発明は、一般式（１）で示されるエステル化合物を１種以上含有することを特徴とする油剤である。
【００１０】
【化１】
2005146095.tif 000002
一般式（１）
〔一般式（１）中、R１〜R４は、水素原子、炭素数３〜２８の分岐脂肪酸残基、または一般式（２）で表される安息香酸類のアシル基であり、R１〜R４の少なくとも１つ以上は安息香酸類のアシル基である。〕
【００１１】
【化２】
2005146095.tif 000003
一般式（２）
〔一般式（２）中、Ｘは水素原子、炭素数１〜１０のアルキル基又はフェニル基を表し、ｍは１〜３の整数を表す。〕
【００１２】
本発明の第２の発明は、アシル基が、安息香酸残基であることを特徴とする第１の発明に記載の油剤である。
【００１３】
本発明の第３の発明は、炭素数３〜２８の分岐脂肪酸残基が、イソオクチル酸残基であることを特徴とする第１の発明又は第２の発明に記載の油剤である。
【００１４】
本発明の第４の発明は、第１の発明から第３の発明の何れか１つの発明に記載の油剤を含有することを特徴とする塗料である。
【００１５】
本発明の第５の発明は、第１の発明から第３の発明の何れか１つの発明に記載の油剤を含有することを特徴とするインキである。
【発明の効果】
【００１６】
本発明によれば、光沢性、保存安定性に優れた塗料及びインキの添加剤として、油剤が提供される。
本発明によれば、光沢性、延展性、経時安定性に優れた塗料及びインキを得るための油剤が提供される。
本発明によれば、光沢性、延展性、経時安定性に優れた塗料及びインキが提供される。
【発明を実施するための最良の形態】
【００１７】
本発明で対象とする前記一般式（１）で表されるエステル化合物を構成するためのアルコールとしては、ペンタエリスリトールを用いる。
【００１８】
本発明で対象とする前記一般式（１）で表されるエステル化合物を構成するための酸としては、前記一般式（２）で表される安息香酸類を用いる。
【００１９】
本発明で対象とする前記一般式（１）で表されるエステル化合物を構成するための前記一般式（２）で表される安息香酸類のＸは、置換基を表しており、水素原子、炭素数１〜１０のアルキル基、炭素数３〜１０のシクロアルキル基、炭素数１〜１０のアルコキシ基、フェニル基等が例示できる。
【００２０】
本発明で対象とする前記一般式（１）で表されるエステル化合物を構成するための前記一般式（２）で表される安息香酸類のｍは、置換基の数を表しており、置換基の数は１〜３である。また、これらの置換基の置換位置は、特に限定されない。
【００２１】
前記炭素数１〜１０のアルキル基としては、具体的には、メチル基、エチル基、ｎ−プロピル基、ｉ−プロピル基、ｎ−ブチル基、sec−ブチル基、ｔ−ブチル基、ｎ−ペンチル基、ｎ−ヘキシル基、ｎ−ペンチル基などの直鎖状又は分岐状アルキル基が例示できる。
【００２２】
前記炭素数３〜１０のシクロアルキル基としては、具体的にはシクロプロピル基、シクロブチル基、シクロペンチル基、シクロヘキシル基、２−メチルシクロヘキシル基、３−メチルシクロヘキシル基、４−メチルシクロヘキシル基、シクロペンチル基などが例示できる。
【００２３】
前記炭素数１〜１０のアルコキシ基としては、具体的にはメトキシ基、エトキシ基、ｎ−プロポキシ基、ｉ―プロポキシ基、ｎ−ブトキシ基、sec−ブトキシ基、ｔ−ブトキシ基、ｎ−ペンチルオキシ基などの直鎖状又は分岐状アルコキシ基が例示できる。
【００２４】
本発明において、上記一般式（２）で表される安息香酸類とは、安息香酸又はその誘導体のことを示す。安息香酸類の具体例としては、安息香酸、２−メチル安息香酸、３−メチル安息香酸、４−メチル安息香酸、２−エチル安息香酸、４−エチル安息香酸、４−ｎ−プロピル安息香酸、４−ｔ−ブチル安息香酸、４−シクロヘキシル安息香酸、４−フェニル安息香酸、２−メトキシ安息香酸、４−メトキシ安息香酸、４−エトキシ安息香酸、４−ｔ−ブトキシ安息香酸、３，４−ジメチル安息香酸、２，６−ジメチル安息香酸、３，５−ジメチル安息香酸、２，４，６−トリメチル安息香酸、２，３，４−トリメチル安息香酸、３，４，５−トリメチル安息香酸などが挙げられる。
【００２５】
本発明で対象とする前記一般式（１）で表されるエステル化合物を構成するための脂肪酸としては、炭素数３〜２８の分岐脂肪酸が好ましく、炭素数８〜１８の分岐脂肪酸がさらに好ましい。炭素数３〜２８の分岐脂肪酸の具体例としては、２−メチルプロパン酸、３−メチルブタン酸、ピバリン酸、イソヘプタン酸、４−エチルペンタン酸、イソオクチル酸、２−エチルヘキサン酸、４,５−ジメチルヘキサン酸、４−プロピルペンタン酸、イソノニル酸（イソノナン酸）、２−エチルヘプタン酸、３,５,５−トリメチルヘキサン酸、イソデカン酸、イソドデカン酸、２−メチルデカン酸、３−メチルデカン酸、４−メチルデカン酸、５−メチルデカン酸、６−メチルデカン酸、７−メチルデカン酸、９−メチルデカン酸、６−エチルノナン酸、５−プロピルオクタン酸、イソラウリン酸、３−メチルヘンデカン酸、６−プロピルノナン酸、イソトリデカン酸、２−メチルドデカン酸、３−メチルドデカン酸、４−メチルドデカン酸、５−メチルドデカン酸、１１−メチルドデカン酸、７−プロピルデカン酸、イソミリスチン酸、２−メチルトリデカン酸、１２−メチルトリデカン酸、イソパルミチン酸、２−ヘキシルデカン酸、１４−メチルペンタデカン酸、２−エチルテトラデカン酸、イソステアリン酸、メチル分岐型イソステアリン酸、２−へプチルウンデカン酸、２−イソへプチルイソウンデカン酸、２−エチルヘキサデカン酸、１４−エチルヘキサデカン酸、１４−メチルヘプタデカン酸、１５−メチルヘプタデカン酸、１６−メチルヘプタデカン酸、２−ブチルテトラデカン酸、イソアラキン酸、３−メチルノナデカン酸、２−エチルオクタデカン酸、イソヘキサコ酸、２４−メチルヘプタコサン酸、２−エチルテトラコサン酸、２−ブチルドコサン酸、２−ヘキシルイコサン酸、２−オクチルオクタデカン酸、２−デシルヘキサデカン酸などが挙げられ、それらの１種又は２種以上を用いることができる。炭素数８〜１８の分岐脂肪酸の具体例としては、イソオクチル酸（さらに好ましくは、２-エチルヘキサン酸及び４,５−ジメチルヘキサン酸）、イソノナン酸（さらに好ましくは、２-エチルヘプタン酸及び３,５,５−トリメチルヘキサン酸）、イソトリデカン酸、イソパルミチン酸、イソステアリン酸（さらに好ましくは、メチル分岐型イソステアリン酸、２-ヘプチルウンデカン酸及び２-イソヘプチルイソウンデカン酸）などが挙げられ、それらの１種又は２種以上を用いることができる。
【００２６】
本発明で対象とする前記一般式（１）で表されるエステル化合物のR１〜R４は、水素原子、炭素数３〜２８の分岐脂肪酸残基、または一般式（２）で表される安息香酸類のアシル基であり、R１〜R４の少なくとも１つ以上は安息香酸類のアシル基である。
【００２７】
本発明で対象とする前記一般式（１）で表されるエステル化合物は、ペンタエリスリトール１モルに対し、安息香酸類を１モル〜４モル、炭素数３〜２８の分岐脂肪酸０モル〜３モルを原料として、エステル化したものが好ましい。本発明の目的である光沢性、安定性を満足させるためには、ペンタエリスリトール１モルに対し、安息香酸類を２モル以上、炭素数８〜１８の分岐脂肪酸０モル〜２モルを原料として、ペンタエリスリトールの水酸基を全てエステル化したものがより好ましく、さらにペンタエリスリトール１モルに対し、安息香酸３モル、イソオクチル酸１モルを原料として、ペンタエリスリトールの水酸基を全てエステル化したものが最も好ましい。
【００２８】
本発明で対象とする前記一般式（１）で表されるエステル化合物は、モノエステル、ジエステル、トリエステル又はテトラエステルであってもよく、本発明の油剤は、それらの１種又は２種以上の混合物であってもよい。
【００２９】
本発明で対象とする前記一般式（１）で表されるエステル化合物の製造法について説明する。前記原料を適当な反応容器に仕込み、酸、アルカリ、その他金属触媒の存在下または非存在下、好ましくは該反応に不活性な有機溶媒または／及び気体中で１５０℃〜２５０℃において数時間〜３０時間程度まで、副生する水を除去しながら反応を行う。なお反応時に加えるペンタエリスリトール、安息香酸類、分岐脂肪酸の種類、順序は特に限定はない。触媒を用いる場合には、酸触媒またはアルカリ土類金属のアルコキシド等を反応原料の重量に対し０．００１〜１．０％加える。前記反応経過は、反応経過中の酸価を測定することにより評価できる。
反応終了後、未反応物を含むことがあり、これらを水洗、アルカリ脱酸、吸着処理等の公知の方法で分離除去し、更に脱色、脱臭処理を施し精製する。
【００３０】
本発明の油剤の塗料又はインキに対する含有量は、エステル化合物の組成及び種類により異なるが、最終の塗料又はインキの総量に対し、１〜４０質量％添加するのが好ましい。
【００３１】
以下、実施例を挙げて本発明をより具体的に説明するが、本発明はそれらによって限定されるものではない。
【実施例】
【００３２】
実施例１
〔ペンタエリスリトール（１モル）と、安息香酸（２モル）及び、２−エチルヘキサン酸（２モル）とのエステル化合物を含有する油剤の調製〕
撹拌機、温度計、窒素ガス吹き込み管および水分離器を備えた４つ口フラスコにペンタエリスリトール〔セラニーズ社製、ペンタエリスリトール〕５９．８ｇ（１．０モル）、安息香酸〔DSM社製、PuroｘB〕１０７．３ｇ（２．０モル）、２−エチルヘキサン酸[チッソ社製、オクチル酸]１２６．９ｇ（２．０モル）を加え、触媒として塩化スズ０．６ｇを添加し、窒素気流下１８０℃〜２００℃で約１５時間反応させた。反応終了後常法にて精製し、ペンタエリスリトールと、安息香酸及び、２−エチルヘキサン酸とのエステル化合物を含有する油剤２１５．６ｇを得た。得られた油剤のけん化価は、３７０であった。
【００３３】
実施例２
〔ペンタエリスリトール（１モル）と、安息香酸（３モル）及び、２−エチルヘキサン酸（１モル）とのエステル化合物を含有する油剤の調製〕
撹拌機、温度計、窒素ガス吹き込み管および水分離器を備えた４つ口フラスコにペンタエリスリトール〔セラニーズ社製、ペンタエリスリトール〕５６．８ｇ（１．０モル）、安息香酸〔DSM社製、PuroｘB〕１５２．９ｇ（３．０モル）、２−エチルヘキサン酸[チッソ社製、オクチル酸]６０．３ｇ（１．０モル）を加え、触媒として塩化スズ０．６ｇを添加し、窒素気流下１８０℃〜２００℃で約１５時間反応させた。反応終了後常法にて精製し、ペンタエリスリトールと、安息香酸及び、２−エチルヘキサン酸とのエステル化合物を含有する油剤１９２．８ｇを得た。得られた油剤のけん化価は、３９２であった。
【００３４】
実施例３
〔ペンタエリスリトール（１モル）と、安息香酸（２モル）及び、イソステアリン酸（２モル）とのエステル化合物を含有する油剤の調製〕
撹拌機、温度計、窒素ガス吹き込み管および水分離器を備えた４つ口フラスコにペンタエリスリトール〔セラニーズ社製、ペンタエリスリトール〕５６．８ｇ（１．０モル）、安息香酸〔DSM社製、PuroｘB〕１０２．０ｇ（２．０モル）、イソステアリン酸[ユニケマ社製、PRISORINE３５０５]２４４．１ｇ（２．０モル）を加え、触媒として塩化スズ０．６ｇを添加し、窒素気流下１８０℃〜２００℃で約１５時間反応させた。反応終了後常法にて精製し、ペンタエリスリトールと、安息香酸及び、イソステアリン酸とのエステル化合物を含有する油剤２８５．７ｇを得た。得られた油剤のけん化価は、３１４であった。
【００３５】
このようにして得られた実施例１〜３の油剤の屈折率及び酸化安定性試験を以下に示すの方法で測定した。
【００３６】
比較例として、艶の良い油剤として知られている液状ラノリン[日本精化社製、YOFCOラノリンSS]（以下、比較例１とする）、及びリンゴ酸ジイソステアリル[日清オイリオ社製、コスモール２２２]（以下、比較例２とする）を用いた。
【００３７】
〔油剤の屈折率測定〕
実施例１〜３及び比較例１、２の油剤の屈折率を測定し、光沢性の評価を行った。屈折率が高いほど、光沢性が高いことを示す。屈折率はアツベ屈折計Model：ER-98（エルマ販売（株）社）を用いて２５℃の温度条件下で測定した。結果を表１に示す。
【００３８】
【表１】
2005146095.tif 000004
【００３９】
表１からもわかるように、実施例１〜３の油剤は、比較例１、２の油剤と比べて、より高い屈折率を示し、より光沢性に優れていることが明らかとなった。
【００４０】
〔油剤の酸化安定性試験〕
基準油脂分析法（日本油化学会）のCDM試験により、実施例１〜３及び比較例１、２の酸化安定性を測定した。試料を１２０℃に加熱しながら、清浄空気を送り込み、酸化により生成した揮発性分解物を水中に捕集し、揮発性分解物生成による水の伝導率の変化を経時的に測定した。水の伝導率の変化が大きいほど、酸化安定性が悪いことを示す。具体的には自動油脂安定性試験装置[ランシマット７４３、メトローム社製]を用い、実施例１〜３及び比較例１、２の油剤の伝導率の変化を測定した。結果を図１に示す。
【００４１】
図１からもわかるように、実施例１〜３の油剤は、比較例１、２の油剤と比べて、より高い安定性を示した。
【００４２】
実施例１〜３及び比較例１，２の油剤を含有させた金属用油性白色塗料及び油性顔料インキの光沢度、展延性及び保存安定性を以下に示す方法により評価した。
【００４３】
〔塗料及びインキの光沢度試験〕
ＪＩＳ  Ｋ  ５４００に準拠して、ＶＺ−２０００（商品名、日本電色社製）を用いて、光源の入射角を６０度として、金属用油性白色塗料及び油性顔料インキの光沢値（％）を測定した。
【００４４】
〔塗料及びインキの展延性の評価〕
金属用油性白色塗料及び油性顔料インキについて、実際に塗布したときの伸びについて以下に示す４段階判定基準で評価した。◎：非常によく伸びる、○：よく伸びる、△：あまり伸びない、×：伸びが悪い
【００４５】
〔塗料及びインキの保存安定性試験〕
金属用油性白色塗料及び油性顔料インキについて、５０℃で１ヶ月保存し、保存後の粒子の凝集や沈降を以下に示す４段階判定基準で評価し評価結果を表２に記載した。◎：非常に安定性が良い、○：安定性が良い、△：安定性があまり良くない、×：非常に安定性が悪い
【００４６】
実施例４〜６、比較例３、４
〔金属用油性白色塗料〕
実施例１〜３で得られた油剤及び比較例１、２の油剤を用いて、表２に示す配合の金属用油性白色塗料を、以下の製法で製造した。
成分１と成分４を８０℃にて加熱溶解し、成分３、成分２、成分５を順次加えた後、常温でよく練り合わせて金属用油性白色塗料を製造した。得られた塗料の光沢性、展延性及び保存安定性を評価した。評価結果を表３に示す。
【００４７】
【表２】
2005146095.tif 000005
【００４８】
【表３】
2005146095.tif 000006
【００４９】
表３の結果に示されるように、本発明の実施例１〜３の油剤を用いた実施例４〜６の金属用油性白色塗料は、いずれも光沢性、展延性、保存安定性に優れたものであった。一方、比較例１、２の油剤を用いた比較例３，４の金属用油性白色塗料は光沢性、展延性、保存安定性すべてにおいて満足いくものではなかった。
【００５０】
実施例７〜９、比較例５、６
〔油性顔料インキ〕
実施例１〜３で得られた油剤及び比較例１、２の油剤を用いて、表４に示す配合の油性顔料インキを、以下の製法で製造した。
成分１〜成分６を加熱溶解し、ローラにて混練後容器に入れ冷却してインキを得た。得られたインキの光沢性、展延性及び保存安定性を評価した。評価結果を表５に示す。
【００５１】
【表４】
2005146095.tif 000007
【００５２】
【表５】
2005146095.tif 000008
【００５３】
表５の結果に示されるように、本発明の実施例１〜３の油剤を用いた実施例７〜９の油性顔料インキは、いずれも光沢性、展延性、保存安定性に優れたものであった。一方、比較例１、２の油剤を用いた比較例５，６の油性顔料インキは光沢性、展延性、保存安定性すべてにおいて満足いくものではなかった。
【図面の簡単な説明】
【００５４】
【図１】実施例１〜３及び比較例１、２の油剤についての、伝導率の経時変化の結果である。
【図１】
2005146095.tif 000013